【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ロングタームエボリューション(LTE)無線アクセス技術(RAT)の第1のネットワークの基準信号構成を第2のワイヤレス通信デバイスから第1のワイヤレス通信デバイスによって受信するステップであって、前記第1のワイヤレス通信デバイスおよび前記第2のワイヤレス通信デバイスが、別のRATの第2のネットワークに関連付けられる、ステップと、
前記第1のネットワークの前記基準信号構成に基づいて、前記第2のネットワークの中の通信信号を前記第2のワイヤレス通信デバイスから前記第1のワイヤレス通信デバイスによって受信するステップと
を備え、
前記基準信号構成に基づく基準信号を、前記第1のネットワークに関連付けられた第3のワイヤレス通信デバイスから前記第1のワイヤレス通信デバイスによって受信するステップをさらに備え、
前記通信信号を受信する前記ステップが前記基準信号にさらに基づく、方法。
【請求項２】
前記基準信号構成が、前記第1のネットワークの基準信号の周波数トーン、前記第1のネットワークの前記基準信号の時間期間、または前記第1のネットワークの前記基準信号に関連付けられたアンテナポートの個数のうちの少なくとも1つを示す、請求項1に記載の方法。
【請求項３】
前記基準信号構成が、前記第1のネットワークの前記基準信号の前記周波数トーンを示し、
前記通信信号を受信する前記ステップが、前記第1のネットワークの前記基準信号の前記周波数トーンとオーバーラップしていない周波数トーンへのデータトーンのマッピングにさらに基づく、請求項2に記載の方法。
【請求項４】
前記基準信号構成が、前記第1のネットワークの基準信号に対するシーケンス情報、または前記第1のネットワークのセル識別子のうちの少なくとも1つを示す、請求項1に記載の方法。
【請求項５】
前記基準信号構成が、前記第2のネットワークのヌメロロジーとは異なる前記第1のネットワークのヌメロロジーを示す、請求項1に記載の方法。
【請求項６】
前記第1のネットワークの前記基準信号に基づいて、前記第2のネットワークの測定値を前記第1のワイヤレス通信デバイスによって決定するステップと、
前記決定された測定値を前記第1のワイヤレス通信デバイスによって前記第2のワイヤレス通信デバイスへ送信するステップと
をさらに備える請求項1に記載の方法。
【請求項７】
前記基準信号構成を受信する前記ステップが、
前記基準信号構成を含む無線リソース制御(RRC)メッセージ、前記基準信号構成を含む媒体アクセス制御(MAC)制御要素(CE)、または前記基準信号構成を含むダウンリンク制御情報(DCI)のうちの少なくとも1つを、前記第2のワイヤレス通信デバイスから前記第1のワイヤレス通信デバイスによって受信するステップを含む、
請求項1に記載の方法。
【請求項８】
ワイヤレス通信の方法であって、
ロングタームエボリューション(LTE)無線アクセス技術(RAT)の第1のネットワークの基準信号構成を第2のワイヤレス通信デバイスから第1のワイヤレス通信デバイスによって取得するステップであって、前記第2のワイヤレス通信デバイスが前記第1のネットワークに関連付けられ、前記第1のワイヤレス通信デバイスが別のRATの第2のネットワークに関連付けられる、ステップと、
前記第1のネットワークの前記基準信号構成を、前記第1のワイヤレス通信デバイスによって前記第2のネットワークの中の第3のワイヤレス通信デバイスへ送信するステップと、
前記第1のネットワークの前記基準信号構成に基づいて、前記第2のネットワークの中の通信信号を前記第1のワイヤレス通信デバイスによって前記第3のワイヤレス通信デバイスへ送信するステップと
を備え、
前記第3のワイヤレス通信デバイスによって受信された少なくとも基準信号および前記第1のネットワークの前記基準信号構成に基づく測定値を、前記第3のワイヤレス通信デバイスから前記第1のワイヤレス通信デバイスによって受信するステップ
をさらに備える、方法。
【請求項９】
前記基準信号構成が、前記第1のネットワークの基準信号の周波数トーン、前記第1のネットワークの前記基準信号の時間期間、または前記第1のネットワークの前記基準信号に関連付けられたアンテナポートの個数のうちの少なくとも1つを示す、請求項8に記載の方法。
【請求項１０】
前記基準信号構成が、前記第1のネットワークの前記基準信号の前記周波数トーンを示し、
前記通信信号を送信する前記ステップが、前記第1のネットワークの前記基準信号の前記周波数トーンとオーバーラップしていない周波数トーンへのデータトーンのマッピングにさらに基づく、請求項9に記載の方法。
【請求項１１】
前記基準信号構成が、
前記第1のネットワークの基準信号に対するシーケンス情報、または前記第1のネットワークのセル識別子のうちの少なくとも1つを示すか、または
前記基準信号構成が、前記第1のネットワークのヌメロロジーとは異なる前記第2のネットワークのヌメロロジーを示す、請求項8に記載の方法。
【請求項１２】
前記基準信号構成を送信する前記ステップが、
前記基準信号構成を含む無線リソース制御(RRC)メッセージ、前記基準信号構成を含む媒体アクセス制御(MAC)制御要素(CE)、または前記基準信号構成を含むダウンリンク制御情報(DCI)のうちの少なくとも1つを、前記第1のワイヤレス通信デバイスによって前記第3のワイヤレス通信デバイスへ送信するステップを含む、
請求項8に記載の方法。
【請求項１３】
装置であって、トランシーバを備え、前記トランシーバが、
ロングタームエボリューション(LTE)無線アクセス技術(RAT)の第1のネットワークの基準信号構成を第2のワイヤレス通信デバイスから受信することであって、前記装置および前記第2のワイヤレス通信デバイスが、別のRATの第2のネットワークに関連付けられる、受信することと、
前記第1のネットワークの前記基準信号構成に基づいて、前記第2のネットワークの中の通信信号を前記第2のワイヤレス通信デバイスから受信することと
を行うように構成され、
前記トランシーバが、
前記基準信号構成に基づく基準信号を、前記第1のネットワークに関連付けられた第3のワイヤレス通信デバイスから受信し、
前記基準信号にさらに基づいて前記通信信号を受信する
ようにさらに構成される、装置。
【請求項１４】
装置であって、
ロングタームエボリューション(LTE)無線アクセス技術(RAT)の第1のネットワークの基準信号構成を第2のワイヤレス通信デバイスから取得するように構成されたプロセッサであって、前記第2のワイヤレス通信デバイスが前記第1のネットワークに関連付けられ、前記装置が別のRATの第2のネットワークに関連付けられる、プロセッサと、
トランシーバと
を備え、前記トランシーバが、
前記第1のネットワークの前記基準信号構成を、前記第2のネットワークの中の第3のワイヤレス通信デバイスへ送信し、
前記第1のネットワークの前記基準信号構成に基づいて、前記第2のネットワークの中の通信信号を前記第3のワイヤレス通信デバイスへ送信する
ように構成され、
前記トランシーバが、
前記第3のワイヤレス通信デバイスによって受信された少なくとも基準信号および前記第1のネットワークの前記基準信号構成に基づく測定値を、前記第3のワイヤレス通信デバイスから受信するようにさらに構成される、装置。
【請求項１５】
ワイヤレス通信デバイスのプロセッサによって実行されると、前記ワイヤレス通信デバイスに、請求項1乃至12のいずれか1項に記載の方法を実行させるプロセッサ実行可能命令を記憶したプロセッサ可読記憶媒体。